(57)【要約】【課題】この発明は、組み立て順序に対して生じる制約を極力避けることを可能とし、製造時の自由度を高めて組立作業の効率を向上させ得るようにした偏向ヨーク装置を提供することを目的としている。【解決手段】陰極線管の画面１１の中央部に対向して、偏向ヨーク装置を構成するためのセパレータ１２が設置されている。このセパレータ１２は、画面１１の水平軸（Ｘ軸）上に分割面を有する一対のハーフセパレータ１３，１４同士を合体させることにより構成される。つまり、セパレータ１２は、画面１１上において、Ｘ軸を挟んで上下に分割される構成となっている。【選択図】　　図１
2004006097.tif 000002
【特許請求の範囲】
【請求項１】
セパレータの内側に水平偏向コイルを収容し、外側に垂直偏向コイルを取着してなる偏向ヨーク装置において、
前記セパレータを、画面の水平軸上に分割面を有する第１及び第２のハーフセパレータを合体させる構成としたことを特徴とする偏向ヨーク装置。
【請求項２】
前記第１のハーフセパレータには、前記画面の垂直方向に沿って配置される第１及び第２の水平偏向コイルのうちの第１の水平偏向コイルが収容され、前記第２のハーフセパレータには、前記第２の水平偏向コイルが収容されることを特徴とする請求項１記載の偏向ヨーク装置。
【請求項３】
前記第１及び第２のハーフセパレータの分割面には、それぞれ収容されている前記第１及び第２の水平偏向コイルを保持するためのリブが形成されることを特徴とする請求項２記載の偏向ヨーク装置。
【請求項４】
前記リブは、前記第１及び第２のハーフセパレータを合体させたときに、相互に重なり合う位置に形成されることを特徴とする請求項３記載の偏向ヨーク装置。
【請求項５】
前記リブは、前記第１及び第２のハーフセパレータを合体させたときに、相互に重なり合わない位置に形成されることを特徴とする請求項３記載の偏向ヨーク装置。
【請求項６】
前記第１のハーフセパレータによって第１の磁界補正用部品を支持し、前記第２のハーフセパレータによって第２の磁界補正用部品を支持することを特徴とする請求項１記載の偏向ヨーク装置。
【請求項７】
前記第１及び第２の磁界補正用部品は、垂直磁界のバランスコントロール用の補正片、トップ＆ボトム歪補正用のマグネット及びコマコイルのいずれかを含むことを特徴とする請求項６記載の偏向ヨーク装置。
【請求項８】
前記第１及び第２のハーフセパレータを合体させた状態で、前記画面の水平方向に沿って配置される第１及び第２の垂直偏向コイルが、前記第１及び第２のハーフセパレータ相互間に跨るように取着されることを特徴とする請求項１記載の偏向ヨーク装置。
【発明の詳細な説明】
【０００１】
【発明の属する技術分野】
この発明は、例えばテレビジョン受信機やディスプレイ装置等の陰極線管に使用される偏向ヨーク装置の改良に関する。
【０００２】
【従来の技術】
周知のように、首記の如き偏向ヨーク装置は、略喇叭状に形成されたセパレータを有し、その内側に水平偏向コイルを設置し、外側に垂直偏向コイルを設置する構成となっている。
【０００３】
また、このセパレータには、垂直磁界のバランスコントロール用の補正片、トップ＆ボトム歪補正用のマグネット及びコマコイル等、各種の磁界補正用部品も装着されている。
【０００４】
ところで、このセパレータは、陰極線管の画面の垂直軸（Ｙ軸）上に分割面を有する一対のハーフセパレータに分割されており、これらのハーフセパレータ同士を合体させることにより構成される。
【０００５】
そして、上記した各種の磁界補正用部品は、上記垂直軸上に配置される必要があることから、一対のハーフセパレータの接合部上に、両ハーフセパレータ間に跨って設置されることになる。
【０００６】
このため、現状の偏向ヨーク装置では、まず、内部に水平偏向コイルを収容するようにハーフセパレータ同士を合体させてセパレータを作成し、その後に、各種の磁界補正用部品をセパレータに取着する必要がある。
【０００７】
これにより、現状では、偏向ヨーク装置の組み立て順序に制約が生じ製造時の自由度が損なわれることから、組み立て工数の増加やそれに伴なって経済的な不利を招くという問題が生じている。
【０００８】
なお、例えば、実開平５−１７９０７号公報及び実公平７−４３９２９号公報には、偏向ヨークにおいて、セパレータに磁界補正用の磁性片を取り付ける技術が開示されている。
【０００９】
しかしながら、これらの公知例には、いずれも、セパレータと磁性片とに対する上述した組み立て上の問題点を解決することについては、何らの記載もなされていないものである。
【００１０】
【発明が解決しようとする課題】
そこで、この発明は上記事情を考慮してなされたもので、組み立て順序に対して生じる制約を極力避けることを可能とし、製造時の自由度を高めて組立作業の効率を向上させ得るようにした極めて良好な偏向ヨーク装置を提供することを目的とする。
【００１１】
【課題を解決するための手段】
この発明に係る偏向ヨーク装置は、セパレータの内側に水平偏向コイルを収容し、外側に垂直偏向コイルを取着するものを対象としている。そして、セパレータを、画面の水平軸上に分割面を有する第１及び第２のハーフセパレータを合体させる構成としたものである。
【００１２】
上記のような構成によれば、画面の水平軸上に分割面を有する第１及び第２のハーフセパレータを合体させてセパレータを構成するようにしたので、画面の垂直方向に沿って配置される各種の磁界補正用部品が、第１及び第２のハーフセパレータ間に跨って取着されなくなるため、組み立て順序に対して生じる制約を極力避けることを可能とし、製造時の自由度を高めて組立作業の効率を向上させることができるようになる。
【００１３】
【発明の実施の形態】
以下、この発明の実施の形態について図面を参照して詳細に説明する。図１において、符号１１は陰極線管の画面である。そして、この画面１１の中央部に対向して、偏向ヨーク装置を構成するためのセパレータ１２が設置されている。
【００１４】
この場合、セパレータ１２は、画面１１の水平軸（Ｘ軸）上に分割面を有する一対のハーフセパレータ１３，１４同士を合体させることにより構成される。つまり、セパレータ１２は、画面１１上において、Ｘ軸を挟んで上下に分割されていることになる。
【００１５】
ここで、図２に示すように、Ｘ軸の上側のハーフセパレータ１３には、一対の水平偏向コイル１５，１６のうちの画面１１上で上側となる水平偏向コイル１５が収容される。また、上記Ｘ軸の下側のハーフセパレータ１４には、一対の水平偏向コイル１５，１６のうちの画面１１上で下側となる水平偏向コイル１６が収容される。
【００１６】
そして、図３（ａ）に示すように、水平偏向コイル１５の収容されたハーフセパレータ１３と、水平偏向コイル１６の収容されたハーフセパレータ１４とを合体させる。これにより、図３（ｂ）に示すように、一対の水平偏向コイル１５，１６を内部に収容したセパレータ１２が構成される。
【００１７】
本来、一対の水平偏向コイル１５，１６は、画面１１上で上下方向に配置される。このため、セパレータ１２を画面１１上で上下方向に分割しているということは、各ハーフセパレータ１３，１４が各水平偏向コイル１５，１６をそれぞれ独立に収容することができ、組立作業を容易化することができる。
【００１８】
これに対し、先に述べた現状の偏向ヨーク装置では、セパレータが画面のＹ軸上に分割面を有する構成、つまり、セパレータを画面上で左右方向に分割する構成であるから、１つのハーフセパレータで１つの水平偏向コイルを支持することが困難になる。
【００１９】
つまり、画面上で上下方向に配置された一対の水平偏向コイルを、画面上で左右方向に分割された一対のハーフセパレータで囲んで、その中に収容する構造であるため、組立作業が非常に困難になっている。
【００２０】
ここで、図４に示すように、ハーフセパレータ１３には、その分割面に、相互に内側に向けてリブ１３ａ，１３ｂが形成されている。そして、ハーフセパレータ１３は、そのリブ１３ａ，１３ｂ相互間を押し広げることにより、内部に水平偏向コイル１５を収容することができる。
【００２１】
収容後、ハーフセパレータ１３は、その弾性力によりリブ１３ａ，１３ｂを元の状態に戻し、ここに、リブ１３ａ，１３ｂによる水平偏向コイル１５の離脱を防止する保持が行なわれる。
【００２２】
また、ハーフセパレータ１４にも、その分割面に、相互に内側に向けてリブ１４ａ，１４ｂが形成されている。そして、ハーフセパレータ１４は、そのリブ１４ａ，１４ｂ相互間を押し広げることにより、内部に水平偏向コイル１６を収容することができる。
【００２３】
収容後、ハーフセパレータ１４は、その弾性力によりリブ１４ａ，１４ｂを元の状態に戻し、ここに、リブ１４ａ，１４ｂによる水平偏向コイル１６の離脱を防止する保持が行なわれる。
【００２４】
このため、一対のハーフセパレータ１３，１４は、それぞれ、水平偏向コイル１５，１６を収容した状態で、独立に管理することが可能となる。
【００２５】
なお、リブ１３ａ，１３ｂ，１４ａ，１４ｂは、組み立て時に重ね合わされることを考慮して、セパレータ１２を組み立てた後に必要とされる厚みの１／２程度の厚みに設定することが望ましい。ただし、水平偏向コイル１５，１６を保持できる強度が保てるのであれば、その限りではない。
【００２６】
一方、図５に示すように、画面１１上で上側となるハーフセパレータ１３に対しては、その外周の上方に、垂直磁界のバランスコントロール用の補正片１８、トップ＆ボトム歪補正用のマグネット１７及びコマコイル１９等、各種の磁界補正用部品が取着されている。
【００２７】
また、図６に示すように、画面１１上で下側となるハーフセパレータ１４に対しても、その外周の下方に、垂直磁界のバランスコントロール用の補正片２１、トップ＆ボトム歪補正用のマグネット２０及びコマコイル２２等、各種の磁界補正用部品が取着されている。
【００２８】
そして、一対のハーフセパレータ１３，１４を合体させたセパレータ１２に、図５及び図６に示すように、画面１１上で左右方向から、垂直偏向コイル２３，２４が取着される。
【００２９】
これら垂直偏向コイル２３，２４は、それぞれ、フェライトコア２３ａ，２４ａと、その周囲に巻回されたコイル２３ｂ，２４ｂとから構成され、一対のハーフセパレータ１３，１４相互間に跨るように取着される。
【００３０】
上記した実施の形態によれば、セパレータ１２を画面１１のＸ軸上に分割面を有する一対のハーフセパレータ１３，１４として分割するようにしている。このため、ハーフセパレータ１３，１４に対する、水平偏向コイル１５，１６の取り付けと、補正片１８，２１、マグネット１７，２０及びコマコイル１９，２２等の各種磁界補正用部品の取り付けとに順序の制約が無くなり、製造時の自由度を高めて組立作業の効率を向上させることができる。
【００３１】
また、図４では、ハーフセパレータ１３，１４に、その一端部から他端部にかけて全域にリブ１３ａ，１３ｂ，１４ａ，１４ｂを形成し、ハーフセパレータ１３，１４を合体させたときに、ハーフセパレータ１３のリブ１３ａ，１３ｂとハーフセパレータ１４のリブ１４ａ，１４ｂとが重なり合うようにしている。
【００３２】
ところが、これに限らず、例えば、図７に示すように、ハーフセパレータ１３と１４とで相互に勝って違いとなる位置に、それぞれリブ１３ｃ，１３ｄ，１４ｃ，１４ｄを形成し、ハーフセパレータ１３，１４を合体させたときに、ハーフセパレータ１３のリブ１３ｃ，１３ｄとハーフセパレータ１４のリブ１４ｃ，１４ｄとが重なり合わないようすることも可能である。この場合、ハーフセパレータ１３，１４内への水平偏向コイル１５，１６の収容作業を容易にすることができる。
【００３３】
なお、この発明は上記した実施の形態に限定されるものではなく、この外その要旨を逸脱しない範囲で種々変形して実施することができる。
【００３４】
【発明の効果】
以上詳述したようにこの発明によれば、組み立て順序に対して生じる制約を極力避けることを可能とし、製造時の自由度を高めて組立作業の効率を向上させ得るようにした極めて良好な偏向ヨーク装置を提供することができる。
【図面の簡単な説明】
【図１】この発明の実施の形態を示すもので、陰極線管の画面に対するセパレータの位置を説明するために示す図。
【図２】同実施の形態におけるハーフセパレータとそこに収容される水平偏向コイルとの関係を説明するために示す側面図。
【図３】同実施の形態における水平偏向コイルの収容されたハーフセパレータの組み立てを説明するために示す図。
【図４】同実施の形態におけるハーフセパレータに形成されたリブの一例を説明するために示す図。
【図５】同実施の形態における一方のハーフセパレータに対する各種磁界補正用部品の取り付けを説明するために示す図。
【図６】同実施の形態における他方のハーフセパレータに対する各種磁界補正用部品の取り付けを説明するために示す図。
【図７】同実施の形態におけるハーフセパレータに形成されたリブの他の例を説明するために示す図。
【符号の説明】
１１…画面、
１２…セパレータ、
１３…ハーフセパレータ、
１４…ハーフセパレータ、
１５…水平偏向コイル、
１６…水平偏向コイル、
１７…マグネット、
１８…補正片、
１９…コマコイル、
２０…マグネット、
２１…補正片、
２２…コマコイル、
２３…垂直偏向コイル、
２４…垂直偏向コイル。
【図１】
2004006097.tif 000003
【図２】
2004006097.tif 000004
【図３】
2004006097.tif 000005
【図４】
2004006097.tif 000006
【図５】
2004006097.tif 000007
【図６】
2004006097.tif 000008
【図７】
2004006097.tif 000009